(57)【要約】【課題】キャディバッグがゴルフカートに乗せられた状態でも、バッグ本体に落としたボールなどを容易に取り出すことができる便利なキャディバッグ等を提供することにある。【解決手段】上面に出入口１１を形成したバッグ本体１０の側面下部に、側ポケット２０を設けたゴルフ用のキャディバッグ１において、側ポケット２０内部のバッグ本体１０側面に、側ポケット２０とバッグ本体１０内部とを連通する少なくとも手が入る大きさの連通口１２を設け、この連通口１２の周囲に、先端が開口する袋部５０を装着し、この袋部５０の先端開口５１に開閉部材を設けた構成を採用したのである。【選択図】図１
2006158427.tif 000002
【特許請求の範囲】
【請求項１】
上面に出入口を形成したバッグ本体の側面下部に、側ポケットを設けたゴルフ用のキャディバッグにおいて、側ポケット内部のバッグ本体側面に、側ポケットとバッグ本体内部とを連通する少なくとも手が入る大きさの連通口を設け、この連通口の周囲に、先端が開口する袋部を装着し、この袋部の先端開口に開閉部材を設けたことを特徴とするゴルフ用のキャディバッグ。
【請求項２】
上記袋部の先端開口に、綴じ紐を通して開閉部材を構成した請求項１記載のゴルフ用のキャディバッグ。
【請求項３】
上面に出入口を形成したバッグ本体の側面に、側ポケットを設けた手提げ用のバッグにおいて、側ポケット内部のバッグ本体側面に、側ポケットとバッグ本体内部とを連通する少なくとも手が入る大きさの連通口を設け、この連通口の周囲に、先端が開口する袋部を装着し、この袋部の先端開口に開閉部材を設けたことを特徴とする手提げ用のバッグ。
【請求項４】
上記袋部の先端開口に、綴じ紐を通して開閉部材を構成した請求項３記載の手提げ用のバッグ。
【発明の詳細な説明】
【技術分野】
【０００１】
この発明は、バッグ、特に、ゴルフ用のキャディバッグ、手提げ用のバッグに関する。
【背景技術】
【０００２】
ゴルフ用のキャディバッグは、特許文献１に示すように、バッグ本体が筒型の上下に長い形状をしている。
このため、バッグ本体内に、ゴルフボールやティー、手袋などの小物を落とすと、上面のクラブ挿入口から手を差し入れても、バッグ本体の底に手が届かず、落下させた小物を取り出す場合には、いちいちゴルフクラブを抜いて、バッグ本体を逆さにしなければならなかった。
ところが、ゴルフ場でのプレー中にキャディバッグのバッグ本体内にボール等を落とした場合には、キャディバッグがゴルフカートに乗せられていることが多いので、バッグ本体を逆さにして取り出すということができなかった。
【特許文献１】特開２００１-９５９６６号公報
【発明の開示】
【発明が解決しようとする課題】
【０００３】
そこで、この発明は、キャディバッグがゴルフカートに乗せられた状態でも、バッグ本体に落としたボールなどを容易に取り出すことができる便利なキャディバッグ等を提供することにある。
【課題を解決するための手段】
【０００４】
このような課題を解決するため、この発明は、上面に出入口を形成したバッグ本体の側面下部に、側ポケットを設けたゴルフ用のキャディバッグにおいて、側ポケット内部のバッグ本体側面に、側ポケットとバッグ本体内部とを連通する少なくとも手が入る大きさの連通口を設け、この連通口の周囲に、先端が開口する袋部を装着し、この袋部の先端開口に開閉部材を設けた構成を採用したのである。
【０００５】
上記したゴルフ用キャディバッグにおいて、開閉部材は、袋部の先端開口に綴じ紐を通して構成するのが好ましい。
【０００６】
また、この発明が講じた解決手段は、手提げバッグに適用することにより、便利な手提げバッグを得ることができる。即ち、上面に出入口を形成したバッグ本体の側面に、側ポケットを設けた手提げ用のバッグにおいて、側ポケット内部のバッグ本体側面に、側ポケットとバッグ本体内部とを連通する少なくとも手が入る大きさの連通口を設け、この連通口の周囲に、先端が開口する袋部を装着し、この袋部の先端開口に開閉部材を設けた構成を採用してもよい。
【０００７】
上記した手提げ用のバッグにおいても、開閉部材は、袋部の先端開口に綴じ紐を通して構成するのが好ましい。
【発明の効果】
【０００８】
キャディバッグにおいて、側ポケット内部のバッグ本体側面に、側ポケットとバッグ本体内部とを連通する少なくとも手が入る大きさの連通口を設け、この連通口の周囲に、先端が開口する袋部を装着し、この袋部の先端開口に開閉部材を設けたことにより、ゴルフボールやティー、手袋などの小型のゴルフ用品を誤ってバッグ本体内に落としてしまった場合には、側ポケットを開いて、バッグ本体側面の連通口に手を差し入れることにより、バッグ本体の底に手が届くので、ゴルフクラブを抜き取り、キャディバッグを逆さにしなくても、バッグ本体の底に落ちた小物類を取り出すことができる。
また、キャディバッグは、バッグ本体にゴルフクラブを逆さにして、クラブヘッドを上方にして差し入れているため、バッグ本体の底の方には、比較的空きスペースがある。そのため、バッグ本体側面の連通口に装着した袋部内に小物類を入れて、袋部をバッグ本体内に押し込んでおくことにより、バッグ本体の底の空きスペースを有効利用でき、側ポケットの収納量をアップすることができる。
また、バッグ本体側面の連通口に袋部を装着しているため、袋部に手を突っ込み、バッグ本体の底内で手を自由に動かして、底部に落ちた小物類を容易に探すことができるし、袋部をバッグ本体の底の空きスペースに応じて変形させることが可能である。
【０００９】
袋部の先端開口に綴じ紐を通し、この綴じ紐を締めると、袋部の先端開口からの小物類のバッグ本体への落下を防止することでき、また、袋部に手を突っ込んで、バッグ本体の底内で手を動かす際にも、手首部分で袋部の先端開口を綴じ紐で締めるようにしておけば、手と袋部の隙間からの小物類のバッグ本体内への落下を防止することができる。
【００１０】
手提げ用バッグにおいても、側ポケット内部のバッグ本体側面に、側ポケットとバッグ本体内部とを連通する少なくとも手が入る大きさの連通口を設け、この連通口の周囲に、先端が開口する袋部を装着し、この袋部の先端開口に開閉部材を設けたことにより、バッグ本体底部に携帯電話等の小物類が入り込んでしまい、バッグ本体上面の出入口から取り出しにくい場合にも、側ポケットを開いて、バッグ本体側面の連通口に手を差し入れることにより、バッグ本体底部に手が届くため、容易に取り出すことができる。
また、携帯電話等の小物類は、すぐ取り出せるように側ポケットに入れておくのが便利であるが、側ポケット内の収容量には限りがあるところ、バッグ本体側面の連通口に装着した袋部内にこれら携帯用品を入れて、袋部をバッグ本体内に押し込んでおくことにより、側ポケットの収納量をアップすることができる。
また、バッグ本体側面の連通口に袋部を装着しているため、袋部に手を突っ込み、バッグ本体の底内で手を自由に動かして、底部に入り込んでしまった小物類を容易に探すことができる。
【発明を実施するための最良の形態】
【００１１】
以下、図面を参照しつつこの発明の実施の形態について説明する
【００１２】
図１のように、実施形態にかかるゴルフ用のキャディバッグ１は、上面に出入口１１を有するバッグ本体１０と、バッグ本体１０の側面下部の正面に設けられた正面側ポケット２０、背面に設けられた背面側ポケット３０、バッグ本体１０の側面上部の正面に取り付けられた手提げベルト４０とからなる。なお、他にも図示しない肩掛けベルトなどが適宜取り付けられる。
【００１３】
バッグ本体１０には、上面の出入口１１からゴルフクラブが収納され、側ポケット２０、３０には通常、ゴルフボール、ティー、手袋などの小型のゴルフ用品が収納される。側ポケットの出入口２１、３１はファスナーが取り付けられ開閉自在となっている。ゴルフバッグ１を持ち運ぶ際につかむ手提げベルト４０は、バッグ本体に鋲止め等により固定されている。
【００１４】
また、バッグ本体１０には、正面側ポケット２０内部のバッグ本体１０側面に、正面側ポケット２０に連通して少なくとも手の入る大きさを持った連通口１２が設けられている。さらに、連通口１２の周囲には、袋部５０が縫い付けられている。袋部５０の先端には、開口５１が設けられている。
【００１５】
図２のように、袋部５０の開口５１の周縁には綴じ紐５３が挿入されている。綴じ紐５３の両端は外部に引き出され、ストッパ５４が取り付けられている。図３のようにストッパ５４は、シリンダ５４ａにスライド自在に挿入された中子５４ｂがコイルばね５４ｃで外方に付勢されており、シリンダ５４ａと中子５４ｂの側面を貫通させた各貫通孔５４ｄ、５４ｅに、綴じ紐５３の両端が束ね合わせて通されている。図３（ｂ）のように、中子５４ｂをシリンダ５４ａに押し込むと、各貫通孔５４ｄ、５４ｅの位置が合致して束ね合わせた綴じ紐５３が開放されてストッパ５４を動かし、綴じ紐５３を締めたり緩めたりできる。また、図３（ａ）のように、押し込んだ中子５４ｂを開放すると、各貫通孔５４ｄ、５４ｅの位置がずれて綴じ紐５３が係止される。このようにして自由に開口５１の大小を調節することができる。
【００１６】
なお、上記した綴じ紐５３に代えてゴム紐を開口５１の周縁に挿入し、ゴム紐の伸び縮みを利用することで開口５１の大きさを調節することも考えられる。
【００１７】
図４は実施形態にかかるゴルフ用のキャディバッグ１の使用状態を示す。図４（ａ）のように、バッグ本体１０内部側に袋部５０を配置すると、袋部５０内部にゴルフシューズ６０等のゴルフ用品を収納できる。この場合に、袋部５０をバッグ本体１０の底の空きスペースに応じて自由に変形させることにより、バッグ本体１０底の空きスペースを有効利用することができ、側ポケット２０の収納量をアップすることができる。ここで連通口１２の大きさは、袋部５０に小物類のうちでは比較的大きなゴルフ用品であるゴルフシューズ６０等を収納できるように、ゴルフシューズ６０が通る大きさがあることが望ましい。その一方で、あまり大きすぎると、正面側ポケット２０に収納された他のゴルフ用品が袋部５０に入り込んでしまい不便であるから、円形で直径１２〜１３ｃｍ程度であるのが好ましい。
【００１８】
図４（ｂ）のように、バッグ本体１０上面の出入口１１から誤って、ゴルフボール７０等の小型のゴルフ用品を内部に落としてしまった場合には、キャディバッグを逆さまにしなくとも、正面側ポケット２０の出入口２１から、バッグ本体内部に手８０を入れ取り出すことができる。この場合に、バッグ本体１０側面の連通口１２に袋部５０を縫い付けているため、これに手８０を突っ込み、バッグ本体の底内で手８０を自由に動かして、底部に落ちたゴルフボール７０等を容易に探し出すことができる。また、袋部５０の開口５１の大きさを手８０の大きさに合わせて調節できるため、正面側ポケット２０や袋部５０に収納されている他のゴルフ用品を手８０と開口５１の隙間から逆にバッグ本体１０内に押し込んでしまう心配はない。
【００１９】
図５のように、実施形態にかかる手提げ用のバッグ１００は、上面に出入口１１１を有するバッグ本体１１０と、バッグ本体１１０の側面下部に設けた側ポケット１２０と、バッグ本体１１０の側面上部に取り付けられた手掛けベルト１３０とからなる。また、側ポケット１２０内部のバッグ本体１１０側面に、側ポケット１２０内部と連通する連通口１１２が設けられ、連通口１１２の周囲には、袋部１４０が縫い付けられ、袋部１４０の先端には、開口１４１が設けられている。
【００２０】
図のように、袋部１４０をバッグ本体１１０側に配置すると、側ポケット１２０側の収納スペースが、バッグ本体１１０内部にまで延長される。この場合に、小物類は、袋部１４０に収納しておけば側ポケット１２０からすぐに取り出すことができるため便利である。また、バッグ本体１１０の奥部に収納され、バッグ本体１１０の出入口からは取り出しにくい物品を取り出す場合には、側ポケット１２０から袋部１４０に手を突っ込むと、バッグ本体の底内で手８０を自由に動かし探すことができるので、容易に取り出すことができる。この際に、ストッパ１４２を動かして開口１４１の大きさを手首の太さに合わせて調節できるので、側ポケット１２０や袋部１４０に収納されている他の物品を誤って逆にバッグ本体１１０内に押し込んでしまう心配はない。以下、実施形態にかかるゴルフ用のキャディバッグ１とほぼ同様であるため説明を省略する。
【図面の簡単な説明】
【００２１】
【図１】ゴルフ用キャディバッグの全体斜視図
【図２】ゴルフ用キャディバッグの横断面図
【図３】（ａ）（ｂ）はストッパの作用を示す図
【図４】（ａ）（ｂ）はゴルフ用キャディバッグの使用状態を示す図
【図５】手提げ用バッグの全体斜視図
【符号の説明】
【００２２】
１  ゴルフ用キャディバッグ
１０  バッグ本体
１１  出入口
１２  連通口
２０  正面側ポケット
２１  出入口
３０  背面側ポケット
３１  出入口
４０  手提げベルト
５０  袋部
５１  開口
５３  綴じ紐
５４  ストッパ
５４ａ  シリンダ
５４ｂ  中子
５４ｃ  コイルばね
５４ｄ、５４ｅ  貫通孔
６０  ゴルフシューズ
７０  ゴルフボール
８０  手
１００  手提げ用バッグ
１１０  バッグ本体
１１１  出入口
１１２  連通口
１２０  側ポケット
１３０  手掛けベルト
１４０  袋部
１４１  開口
１４２  ストッパ
【図１】
2006158427.tif 000003
【図２】
2006158427.tif 000004
【図３】
2006158427.tif 000005
【図４】
2006158427.tif 000006
【図５】
2006158427.tif 000007